(57)【要約】【課題】高所での清掃作業を行うにあたって作業者の安全を確保しながらも場所を選ぶことなく作業を行うことが可能で、かつ確実に汚れを落とす。【解決手段】清掃用具１０で例えば高所の清掃を行う場合、先ず、固定ネジ１６によって柄１２の伸縮部１２ｂを調節し、固定ネジ１８よってブラシ付きヘッド１１の角度を調節する。さらに、ブラシ１５の形状が異なるブラシ付きヘッド１１に交換する場合は、ブラシ付きヘッド１１を柄１２から取り外して交換する。この後、モニター１３の電源をオンし、また、作業場所が暗い場合はランプ２０をオンする。モニターの液晶ディスプレイからはブラシ付きヘッド１１に設けられたＣＣＤカメラで撮像された画像が表示される。そして、作業者は把持部１２ａを把持しながらブラシ付きヘッド１１を清掃場所の位置に合わせてブラシ１５によって清掃を行う。【選択図】図１
2007282912.tif 000002
【特許請求の範囲】
【請求項１】
ブラシが植設されるブラシ植設面を有し、前記ブラシ植設面の略中央部には開口が形成され、前記開口の周囲に前記ブラシが植設されたブラシ付きヘッドと、
先端部に撮像装置と発光素子とを有するとともに、前記先端部に前記ブラシ付きヘッドが取り付けられ、前記ブラシ付きヘッドが取り付けられると前記撮像素子と前記発光素子とが前記開口から露呈する柄と、
前記柄の根元側に取り付けられ、前記撮像装置で撮影した画像を表示する画像表示装置とを備えたことを特徴とする清掃用具。
【請求項２】
前記ブラシ付きヘッドは前記柄に着脱自在に取り付けられていることを特徴とする請求項１記載の清掃用具。
【請求項３】
前記ブラシ付きヘッドは、前記ブラシの突出方向での前記柄に対する角度が調節可能であることを特徴とする請求項１又は２記載の清掃用具。
【請求項４】
前記柄は伸縮自在であることを特徴とする請求項１〜３のいずれかに記載の清掃用具。
【請求項５】
前記画像表示装置は前記柄に着脱自在に取り付けられていることを特徴とする請求項１〜４のいずれかに記載の清掃用具。
【請求項６】
前記画像表示装置は充電可能であることを特徴とする請求項１〜５のいずれかに記載の清掃用具。
【請求項７】
前記画像表示装置では前記撮像装置で撮影された画像のズーム表示が可能であることを特徴とする請求項１〜６のいずれかに記載の清掃用具。
【発明の詳細な説明】
【技術分野】
【０００１】
本発明は、高所での清掃作業で使用する清掃用具に関するものである。
【背景技術】
【０００２】
従来から梁、天井、棚の上その他の高所における塵埃や汚れ等を除去する清掃作業を行うには、ハタキによって塵埃を叩き落としたり、吸引方式の掃除機であればそのブラシ付のノズル等をあてがい吸引除去することが一般である。しかし、高所における清掃作業では、その汚れや塵埃を直接目視することができず、作業が隅々まで行き届かないため、汚れや塵埃を除去しきれないことがあった。しかし、高所での清掃を十分に行うために脚立やはしごを使用すると作業者が転倒するおそれがあり、作業者が怪我をする危険性がある。また、例えば怪我や病気で足が不自由な作業者は脚立などを使用できないため、清掃作業自体を行うことができない。このため、例えば特許文献１で示されているような高所での再操作業に適した清掃用具を使用する、あるいは、特許文献２で示されているような画像を介して汚れを目視できる清掃用具を使用して高所の清掃作業を行うことにより、作業者の安全を確保するとともに、清掃作業の利便性を図ることが好適である。
【特許文献１】実用新案登録第３１０５０９５号公報
【特許文献２】特開２００３−１６４４０１号公報
【発明の開示】
【発明が解決しようとする課題】
【０００３】
しかしながら特許文献１や特許文献２で示されている清掃用具はいずれも吸引方式を利用した電気式の掃除機であり、双方とも吸引した塵埃などを溜める本体を備えているため、持ち運びや置き場所、使用場所などが制限されて取扱が不便であった。また、これらの清掃用具は電気式であるために電源の周囲で使用する必要があり、特に屋外の清掃作業では利便性に欠けていた。
【課題を解決するための手段】
【０００４】
本発明の清掃用具は、上記問題を解決するためになされたものであり、高所での清掃作業を行うにあたって作業者の安全を確保しながらも場所を選ぶことなく作業を行うことが可能で、かつ確実に汚れを落とすことのできる清掃用具を提供することを目的とする。
【０００５】
上記課題を解決するために、本発明の清掃用具は、ブラシが植設されるブラシ植設面を有し、前記ブラシ植設面の略中央部には開口が形成され、前記開口の周囲に前記ブラシが植設されたブラシ付きヘッドと、先端部に撮像装置と発光素子とを有するとともに、前記先端部に前記ブラシ付きヘッドが取り付けられ、前記ブラシ付きヘッドが取り付けられると前記撮像素子と前記発光素子とが前記開口から露呈する柄と、前記柄の根元側に取り付けられ、前記撮像装置で撮影した画像を表示する画像表示装置とを備えたものである。
【０００６】
なお、前記ブラシ付きヘッドは前記柄に着脱自在に取り付けられていることが好ましい。
【０００７】
また、前記ブラシ付きヘッドは、前記ブラシの突出方向での前記柄に対する角度が調節可能であることが好ましい。
【０００８】
また、前記柄は伸縮自在であることが好ましい。
【０００９】
また、前記画像表示装置は前記柄に着脱自在に取り付けられていることが好ましい。
【００１０】
また、前記画像表示装置は充電可能であることが好ましい。
【００１１】
また、前記画像表示装置では前記撮像装置で撮影された画像のズーム表示が可能であることが好ましい。
【発明の効果】
【００１２】
本発明の清掃用具は、柄の先端部に取り付けられた撮像装置で撮影した画像を柄の根元側の画像表示装置で表示するので、清掃用具の大型化及びその重量の増大を防止することが可能になり、高所での清掃作業を行うにあたって作業者の安全を確保しながらも場所を選ぶことなく作業を行うことが可能で、かつ確実に汚れを落とすことができる。
【００１３】
また、ブラシ付きヘッドは柄に着脱自在に取り付けられているので、清掃場所や用途に応じてブラシ付きヘッドを交換することが可能になり、清掃作業の際の利便性を高めることができる。
【００１４】
また、ブラシ付きヘッドは、ブラシの突出方向での柄に対する角度が調節可能であるので、清掃場所の位置に応じた角度にブラシ付きヘッドを傾けることが可能になり、清掃作業の際の利便性を高めることができる。
【００１５】
また、柄は伸縮自在なので、清掃場所の高さに合わせて柄の長さを調節することが可能になり、清掃作業の際の利便性を高めることができる。
【００１６】
また、画像表示装置は柄に着脱自在に取り付けられているので、柄の傾きに関わらず画像を確認することが可能になり、清掃作業の際の利便性を高めることができる。
【００１７】
また、画像表示装置は充電可能なので、清掃作業を実施できる範囲が電源の周囲に限られなくなり、清掃場所の自由度を高めることができる。
【００１８】
また、画像表示装置では撮像装置で撮影された画像のズーム表示が可能であるので、目視では発見し難い汚れや塵埃を発見することが可能になり、より確実に汚れや塵埃を除去できる。
【発明を実施するための最良の形態】
【００１９】
図１に示すように、清掃用具１０は、ブラシ付きヘッド１１と棒状の柄１２とモニター（画像表示装置）１３とからなる。
【００２０】
ブラシ付きヘッド１１は、直方体形状のベース１４と多数のブラシ毛からなるブラシ１５とを備えている。ブラシ１５はベース１４のブラシ植設面１４ａに植設されている。ブラシ１５のブラシ毛は例えばナイロンなどの素材で形成されている。ベース１４の下面には筒状のアタッチメント１４ｂが一体に設けられている。ブラシ付きヘッド１１はアタッチメント１４ｂを介して柄１２に着脱自在に取り付けられている。
【００２１】
柄１２は、清掃作業を行う作業者によって把持される把持部１２ａ、把持部１２ａよりも一回り細い伸縮部１２ｂ、伸縮部１２ｂよりも一回り細いヘッド保持部１２ｃを備えている。把持部１２ａは円筒状に形成されており、その一端が開放されている。伸縮部１２ｂは円柱状に形成されており、把持部１２ａの一端側の開口から把持部１２ａ内に挿入されている。伸縮部１２ｂは把持部１２ａ内でその長手方向に沿ってスライド自在となっている。把持部１２ａには先端が内部に突出した固定ネジ１６が取り付けられている。固定ネジ１６を時計回りに回動させると、その先端が伸縮部１２ｂに向けて移動して伸縮部１２ｂの外周面に押し当てられる。これにより、伸縮部１２ｂは把持部１２ａ内をスライドすることが不能になる。また、固定ネジ１６を反時計回りに回動させると、その先端が伸縮部１２ｂの外周面から離れて伸縮部１２ｂを把持部１２ａ内でスライドさせることが可能になる。
【００２２】
また、把持部１２ａの外周面でその根元側にはモニター保持部１７が取り付けられている。モニター保持部１７は角筒状に形成されており、その孔の方向が柄１２の長手方向に沿うように把持部１２ａに取り付けられている。モニター１３の背面には下方に突出したＬ字形のフック１３ａが形成されている。モニター保持部１７にはフック１３ａが掛けられる。これにより、モニター１３は柄１２に着脱自在に取り付けられる。
【００２３】
伸縮部１２ｂの上端部には柄１２の長手方向と直交する溝１２ｄが形成されている。溝１２ｄにはヘッド保持部１２ｃの一端側が挿入されている。ヘッド保持部１２ｃは溝１２ｄと柄１２の長手方向との双方に直交する軸１８によって伸縮部１２ｂに軸着されている。これによりブラシ付きヘッド１１は、ブラシ１５の突出方向で揺動自在となっている。
【００２４】
伸縮部１２ｂの溝１２ｄを囲む側壁１２ｅのそれぞれには一対の固定ネジ１９が取り付けられている。固定ネジ１９の先端は溝１２ｄ内に突出している。固定ネジ１９を時計回りに回動させると、その先端がヘッド保持部１２ｃに向けて移動してヘッド保持部１２ｃの外周面に押し当てられる。これにより、ヘッド保持部１２ｃを揺動させることが不能になる。また、固定ネジ１９を反時計回りに回動させると、その先端がヘッド保持部１２ｃの外周面から離れてヘッド保持部１２ｃを揺動させることが可能になる。
【００２５】
図２に示すように、ブラシ付きヘッド１１のベース１４に形成されたブラシ植設面１４ａには、その略中央部に矩形状の開口１４ｃが形成されている。開口１４ｃからは柄１２のヘッド保持部１２ｃの先端部に取り付けられたランプ（発光素子）２０及びＣＣＤカメラ（撮像装置）２１が露呈している。ＣＣＤカメラ２１の撮像信号はシステムコントローラ２２に入力される。システムコントローラ２２は、入力された撮像信号を、信号処理回路で一定レベルまで増幅し、ホワイトバランス調節、Γ補正などの信号処理を行った後にデジタル画像データに変換する。なお、システムコントローラ２２は、モニター１３の内部に設けられており、ＣＣＤカメラ２１で得られた撮像信号の信号処理の他、モニター１３の駆動制御やランプ２０のオン／オフ制御などを行う。
【００２６】
図３に示すように、モニター１３の前面には液晶ディスプレイ２３、電源スイッチ２４、ランプ点灯スイッチ２５、ズームボタン２６が設けられている。システムコントローラ２２は、ＣＣＤカメラ２１で得られた撮像信号をデジタル画像データに変換した後、この画像データに基づいた画像を液晶ディスプレイ２３から表示させる。このため、液晶ディスプレイ２３からはＣＣＤカメラ２１で撮像された画像が表示される。
【００２７】
電源スイッチ２４がオンされるとシステムコントローラ２２はモニター１３及びＣＣＤカメラ２１を起動させる。ランプ点灯スイッチ２５が押下された場合、システムコントローラ２２はその１プッシュごとにランプ２０のオン／オフを切り替える。ズームボタン２６は、拡大／縮小を行う２つのボタンで構成されている。システムコントローラ２２はズームボタン２６の操作に応答してＣＣＤカメラ２１が有するズームレンズを駆動させる。このため、ズームボタン２６が操作されると液晶ディスプレイ２３から表示されている画像のズーム表示が行われる。モニター１３の側面にはＵＳＢソケット２７が設けられている。ＵＳＢソケット２７にはＵＳＢコネクタ２８が接続され、ＵＳＢコネクタ２８を介してモニター１３内に設けられたバッテリーの充電が行われる。
【００２８】
上記のように構成された清掃用具１０で例えば高所の清掃を行う場合、先ず、固定ネジ１６を反時計回りに回動させてから柄１２の伸縮部１２ｂを伸縮させ、ブラシ付きヘッド１１が清掃場所の高さに届くように柄１２の長さを調節する。また、これと同時に固定ネジ１８を反時計回りに回動させてからブラシ付きヘッド１１を揺動させ、ブラシ付きヘッド１１を清掃場所の位置に合わせて角度を調節する。さらに、ブラシ１５の形状が異なるブラシ付きヘッド１１に交換する場合は、ブラシ付きヘッド１１を柄１２から取り外して交換する。柄１２の長さ及びブラシ付きヘッド１１の角度の調節が終了した後、固定ネジ１６及び固定ネジ１８を時計回りに回動させて伸縮部１２ｂの伸縮を不能にするとともに、ブラシ付きヘッド１１を固定する。この後、モニター１３の電源をオンし、また、作業場所が暗い場合はランプ２０をオンする。液晶ディスプレイ２３からはＣＣＤカメラ２１で撮像された画像が表示される。そして、作業者は把持部１２ａを把持しながらブラシ付きヘッド１１を清掃場所の位置に合わせてブラシ１５によって清掃を行う。清掃作業は液晶ディスプレイ２３を視認して清掃場所の汚れを確認しながら行う。このとき、液晶ディスプレイ２３を視認し難い場合はモニター１３を柄１２から取りはずして液晶ディスプレイ２３を視認すればよい。また、液晶ディスプレイ２３の画像から汚れを確認し難い場合はズームボタン２６の操作によってズーム表示を行わせることにより確認しやすくなる。清掃作業が終了した後は、モニター１３の電源をオフする。清掃作業の終了後にモニター１３の充電を行うには電源を供給するＵＳＢコネクタ２８をＵＳＢソケット２７に接続する。
【００２９】
上記実施形態では、固定ネジ１６及び固定ネジ１８によって柄１２の長さの調節及びブラシ付きヘッド１１の角度の調節を行ったが、これらの調節を行うための機構は適宜に設定してよい。なお、柄１２の伸縮及びブラシ付きヘッド１１の角度の調節は必ずしも行えなくてもよい。
【００３０】
上記実施形態では、発光素子としてランプを使用したが例えばＬＥＤを使用するなど適宜の素子を用いてよい。
【図面の簡単な説明】
【００３１】
【図１】本発明の清掃用具の外観斜視図である。
【図２】ブラシ付きヘッドの凹み部を示す斜視図である。
【図３】モニター前面の外観斜視図である。
【符号の説明】
【００３２】
１０  清掃用具
１１  ブラシ付きヘッド
１２  柄
１３  モニター（画像表示装置）
１４  ベース
１４ｃ  開口
１５  ブラシ
２０  ランプ（発光素子）
２１  ＣＣＤカメラ（撮像装置）
２３  液晶ディスプレイ
【図１】
2007282912.tif 000003
【図２】
2007282912.tif 000004
【図３】
2007282912.tif 000005